(57)【要約】  【課題】テンキーを形成しなくても、ディスクのトラックナンバーやディスクナンバーなど、使用者が数字を直接入力することのできる表示部付き電子機器を提供すること。  【解決手段】少なくとも数字の表示が可能な表示部２２を備えた表示部付き電子機器２１に、ｎ（≧２）個のプリセット釦Ｂ１〜Ｂ６と、使用者による各プリセット釦Ｂ１〜Ｂ６の操作状態に基づいて、各プリセット釦Ｂ１〜Ｂ６それぞれに割り当てられた１〜６桁目のいずれかの桁の数値を決定する桁数値決定手段と、決定された各桁の数値に基づいて、使用者所望の数値を決定する数値決定手段とを備えると共に、表示部２２の文字数字表示部２３は少なくとも６桁の数字の表示が可能となっており、決定された各桁の数値を、桁位置を合わせて文字数字表示部２３の領域Ｅ１〜Ｅ６に表示する桁数値表示手段を備える。  【選択図】  図１
2005149546.tif 000002
【特許請求の範囲】
【請求項１】
少なくとも数字の表示が可能な表示部を備えた表示部付き電子機器において、
ｎ（≧２）個の操作手段と、
使用者による各操作手段の操作状態に基づいて、各操作手段それぞれに割り当てられた
１〜ｎ桁目のいずれかの桁の数値を決定する桁数値決定手段と、
該桁数値決定手段により決定された各桁の数値に基づいて、使用者所望の数値を決定す
る数値決定手段とを備えると共に、
前記表示部は少なくともｎ桁の数字の表示が可能となっており、
前記桁数値決定手段により決定された各桁の数値を、桁位置を合わせて前記表示部に表
示する桁数値表示手段を備えていることを特徴とする表示部付き電子機器。
【請求項２】
前記ｎ個の操作手段のいずれかが、予め登録されているラジオなどの放送局の放送周波
数を使用者が選択するための選択手段と兼用されていることを特徴とする請求項１記載の
表示部付き電子機器。
【請求項３】
前記表示部は横一列にｎ桁の数字の表示が可能となっており、
前記ｎ個の操作手段が、横一列となるように形成されていることを特徴とする請求項１
又は請求項２記載の表示部付き電子機器。
【請求項４】
前記ｎ個の操作手段が、前記表示部の下側、又は上側に形成され、
さらに、各操作手段が、それぞれに割り当てられた桁の表示位置の真下、又は真上に配
置されていることを特徴とする請求項３記載の表示部付き電子機器。
【請求項５】
ディスクモードである場合に、前記数値決定手段により決定された数値をディスクのト
ラックナンバー、又はディスクナンバーとして、トラックの変更、又はディスクの変更を
行うディスク変更手段を備えていることを特徴とする請求項１〜４のいずれかの項に記載
の表示部付き電子機器。
【請求項６】
放送受信モードである場合に、前記数値決定手段により決定された数値を受信周波数と
して、放送受信を行う放送受信手段を備えていることを特徴とする請求項１〜５のいずれ
かの項に記載の表示部付き電子機器。
【請求項７】
四則演算用の演算用操作手段と、
前記数値決定手段により決定された数値、及び使用者による前記演算用操作の操作状態
に基づいて、四則演算を行う第１の四則演算手段と、
該第１の四則演算手段により求められた数値、前記数値決定手段により決定された数値
、及び使用者による前記演算用操作の操作状態に基づいて、四則演算を行う第２の四則演
算手段と、
前記第１又は前記第２の四則演算手段により求められた数値を、前記表示部に表示する
演算結果表示手段とを備えていることを特徴とする請求項１〜６のいずれかの項に記載の
表示部付き電子機器。
【請求項８】
ｍ桁目の数値が決定されている場合、
前記桁数値決定手段が、数値決定されていない（ｍ−１）桁目以下の桁の数値を０に決
定するものであることを特徴とする請求項１〜７のいずれかの項に記載の表示部付き電子
機器。
【請求項９】
前記数値決定手段により決定された数値、又は前記数値決定手段により決定された数値
に基づいて得られた数値に関する数値情報を記憶手段へ保存する保存手段を備えているこ
とを特徴とする請求項１〜８のいずれかの項に記載の表示部付き電子機器。
【請求項１０】
前記保存手段が、保存時の日付、及び／又は時刻に関する情報と合わせて、前記数値情
報を前記記憶手段へ保存するものであることを特徴とする請求項９記載の表示部付き電子
機器。
【発明の詳細な説明】
【技術分野】
【０００１】
本発明は表示部付き電子機器に関し、より詳細には、ラジオやＣＤ、ＭＤなどの記憶媒
体の再生機能を有したオーディオ機器などの電子機器であって、数字などを表示する表示
部を備えた表示部付き電子機器に関する。
【背景技術】
【０００２】
オーディオ機器としては、カセットテープやＣＤ、ＭＤなどを再生するプレーヤや、ラ
ジオ受信機などが挙げられる。また、最近のオーディオ機器ではカセットテープの再生機
能やＣＤの再生機能、ラジオ受信機能などの複数の機能を有しているものも多い。また、
車載用のオーディオ機器の場合、ナビゲーション機能を有しているものもある。
【０００３】
図１２は、従来の車載用のオーディオ機器本体の前面を示した図である。図中１はオー
ディオ機器を示しており、オーディオ機器１はＣＤの再生機能、及びＦＭ／ＡＭラジオの
受信機能を有している。オーディオ機器１の前面上には、セグメントの表示素子などから
なる表示部２が形成され、表示部２の下側には、予め登録されたラジオ放送局の放送周波
数を選択するためのプリセット釦３ａ〜３ｆが形成されている。プリセット釦３ａ、３ｄ
〜３ｆはＣＤモード時の操作釦と兼用されており、ＣＤモード時でのプリセット釦３ａは
「ＴＩＴＬＥ」釦となり、プリセット釦３ｄは「ＳＣＡＮ」釦となり、プリセット釦３ｅ
は「ＲＥＰＥＡＴ」釦となり、そしてプリセット釦３ｆは「ＲＡＮＤＯＭ」釦となる。
【０００４】
オーディオ機器１の前面上部には、ディスクを挿脱するための挿脱口４が形成され、ま
た、挿脱口４の左側には、オーディオ機器１の電源を入れるための電源釦５が形成され、
挿脱口４の右側には、オーディオ機器１内に挿入されたディスクを取り出すためのイジェ
クト釦６が形成されている。また、オーディオ機器１はディスクチェンジャ機能を有して
おり、複数枚（例えば、最大で１２枚）のディスクを自由に入れ換えることができるよう
になっている。
【０００５】
イジェクト釦６の下側には、再生するディスクのトラックを変更するためのトラック変
更釦７、８が形成され、さらにトラック変更釦７、８の下側には、再生するディスクを変
更するためのディスク変更釦９、１０が形成されている。トラック変更釦７、８はラジオ
モード時の操作釦と兼用されており、ラジオモード時では受信周波数を調整するための釦
となる。
【０００６】
また、電源釦５の下側には、ボリューム調整釦１１が形成され、ボリューム調整釦１１
と表示部２との間には、モードをＣＤモードにするためのＣＤモード釦１２と、モードを
ラジオモードにするためのラジオモード釦１３とが形成されている。ＣＤモードであると
きに、ラジオモード釦１３が押下されるとＦＭラジオモードになり、ＦＭラジオモードで
あるときに、ラジオモード釦１３が押下されるとＡＭラジオモードになり、ＡＭラジオモ
ードであるときに、ラジオモード釦１３が押下されるとＦＭラジオモードになるように構
成されている。
【０００７】
表示部２はセグメントの表示素子からなり、文字や数字などを表示する文字数字表示部
２ａと、選択されているモード（ＣＤ／ＦＭ／ＡＭ）を表すためのモード表示部２ｂとを
有している。例えば、ＣＤモードが選択されている場合、文字数字表示部２ａにはディス
クのトラックナンバー（例えば、「１２」）と、再生時間（例えば、１分２３秒を表す「
１’２３」）とが表示され、モード表示部２ｂでは「ＣＤ」が表示されるようになってい
る。
【０００８】
使用者はディスクのトラックを変更したい場合には、トラック変更釦７、８を操作すれ
ば良く、例えば、９番から１０番に変更したい場合には、トラック変更釦（アップ釦）７
を１回押下し、逆に、９番から８番に変更したい場合には、トラック変更釦（ダウン釦）
８を１回押下すれば良い。
【０００９】
また、使用者はディスクを別のディスクに変更したい場合には、ディスク変更釦９、１
０を操作すれば良く、例えば、１０番目のディスクから１１番目のディスクに変更したい
場合には、ディスク変更釦（アップ釦）９を１回押下し、逆に、１０番目のディスクから
９番目のディスクに変更したい場合には、ディスク変更釦（ダウン釦）１０を１回押下す
れば良い。
【００１０】
また、使用者はラジオの受信周波数を変更したい場合には、受信周波数調整の釦と兼用
されているトラック変更釦７、８を操作すれば良く、例えば、受信周波数を１１７９ｋＨ
ｚから１３１４ｋＨｚに変更したい場合（すなわち、１３５ｋＨｚアップさせたい場合）
には、トラック変更釦（アップ釦）７を１５回（＝１３５ｋＨｚ／チャンネル間隔９ｋＨ
ｚ）押下すれば、所望の周波数（１３１４ｋＨｚ）に到達し、逆に、１１７９ｋＨｚから
１００８ｋＨｚに変更したい場合（すなわち、１７１ｋＨｚダウンさせたい場合）には、
トラック変更釦（ダウン釦）８を１９回（＝１７１／９）押下すれば、所望の周波数（１
００８ｋＨｚ）に到達する。
【００１１】
上記したように、ディスクのトラックを９番から１０番に変更するような場合や、１０
番目のディスクから１１番目のディスクに変更する場合には、トラック変更釦７やディス
ク変更釦９を１回押下するだけで良い。しかしながら、ディスクのトラックを１番から１
２番に変更する場合や、１番目のディスクから１２番目のディスクに変更する場合には、
トラック変更釦７やディスク変更釦９を１１回押下しなければならず、非常に操作が煩わ
しくなる。
【００１２】
また、これらトラック変更釦７、８やディスク変更釦９、１０でトラックやディスクを
変更する場合、現在再生されているトラックナンバーや、ディスクナンバーが分からなけ
れば、幾つアップさせたり、ダウンさせれば良いのか分からず、単に変更先のトラックナ
ンバーや、ディスクナンバーを知っているだけでは、所望のトラックやディスクに変更す
ることはできない。
【００１３】
これら問題を解決するには、オーディオ機器にテンキーを形成して、所望のトラックナ
ンバーやディスクナンバー、受信周波数を使用者が数字で直接入力できるようにすれば良
い。例えば、下記の特許文献１には、電話番号を入力するためのテンキーが形成された電
子機器が記載されている。
【００１４】
しかしながら、オーディオ機器に操作釦を形成できるスペースには限りがあり、テンキ
ーを形成することは容易ではない。また、最近ではＣＤ再生機能、ＭＤ再生機能、ラジオ
受信機能など多くの機能を有した電子機器が増えてきており、このような電子機器にテン
キーを形成することは難しい。特に、車載用の場合には、オーディオ機器そのものが小さ
いため、操作釦を形成するスペースも非常に狭く、テンキーを形成することは非常に難し
い。
【特許文献１】特開平５−１８１５２号公報
【発明の開示】
【課題を解決するための手段及びその効果】
【００１５】
本発明は上記課題に鑑みなされたものであって、テンキーを形成しなくても、ディスク
のトラックナンバーや、ディスクナンバーなど、使用者が数字を直接入力することのでき
る表示部付き電子機器を提供することを目的としている。
【００１６】
上記目的を達成するために本発明に係る表示部付き電子機器（１）は、少なくとも数字
の表示が可能な表示部を備えた表示部付き電子機器において、ｎ（≧２）個の操作手段と
、使用者による各操作手段の操作状態に基づいて、各操作手段それぞれに割り当てられた
１〜ｎ桁目のいずれかの桁の数値を決定する桁数値決定手段と、該桁数値決定手段により
決定された各桁の数値に基づいて、使用者所望の数値を決定する数値決定手段とを備える
と共に、前記表示部はｎ桁の数字の表示が可能となっており、前記桁数値決定手段により
決定された各桁の数値を、桁位置を合わせて前記表示部に表示する桁数値表示手段を備え
ていることを特徴としている。
【００１７】
上記表示部付き電子機器（１）によれば、使用者による各操作手段の操作状態（例えば
、押下回数）に基づいて、各操作手段それぞれに割り当てられた１〜ｎ桁目のいずれかの
桁の数値が決定される。例えば、操作釦がＢ１〜Ｂ６と６個形成され、操作釦Ｂ１〜Ｂ６
が操作釦Ｂ１から順に十万の桁、万の桁、千の桁、百の桁、十の桁、一の桁と割り当てら
れている場合、操作釦Ｂ３が３回押下されると、千の桁の数値が３に決定され、操作釦Ｂ
４が２回押下されると、百の桁の数値が２に決定され、操作釦Ｂ５が４回押下されると、
十の桁が４に決定され、操作釦Ｂ６が５回押下されると、一の桁が５に決定される。
【００１８】
さらに、前記桁数値決定手段により決定された各桁の数値（例えば、千の桁は３、百の
桁は２、十の桁は４、一の桁は５）に基づいて、使用者所望の数値（例えば、３２４５）
が決定される。しかも、前記桁数値決定手段により決定された各桁の数値（例えば、千の
桁は３、百の桁は２、十の桁は４、一の桁は５）は、桁位置を合わせて前記表示部に表示
される。
【００１９】
従って、テンキーを形成しなくても、数字を入力することが可能となる（例えば、前記
操作手段を６個形成すれば、６桁の数値を入力することが可能となる）ので、操作釦など
の形成スペースが限られている電子機器であったとしても、使用者が数字を直接入力する
ことができる。
【００２０】
例えば、ディスクモードで、ディスクのトラックを１番から１２番に変更する場合、十
の桁が割り当てられている操作釦Ｂ５を１回押下し、一の桁が割り当てられている操作釦
Ｂ６を２回押下するだけで、１２の数字を入力することができる。また、ＡＭラジオモー
ドで、受信周波数を１３１４ｋＨｚに変更する場合、千の桁が割り当てられている操作釦
Ｂ３を１回押下し、百の桁が割り当てられている操作釦Ｂ４を３回押下し、十の桁が割り
当てられている操作釦Ｂ５を１回押下し、一の桁が割り当てられている操作釦Ｂ６を４回
押下することによって、１３１４の数字を入力することができる。
【００２１】
また、本発明に係る表示部付き電子機器（２）は、上記表示部付き電子機器（１）にお
いて、前記ｎ個の操作手段のいずれかが、予め登録されているラジオなどの放送局の放送
周波数を使用者が選択するための選択手段と兼用されていることを特徴としている。
【００２２】
オーディオ機器には、予め登録されたラジオなどの放送局の放送周波数を選択するため
のプリセット釦が形成されていることが多い。また、プリセット釦は、図１２に示したよ
うに、複数個（例えば、６個）が横一列に形成されているのが殆どである。上記表示部付
き電子機器（２）によれば、各桁の数値を入力するための操作手段が、予め登録されたラ
ジオなどの放送局の放送周波数を選択するための前記選択手段（いわゆる、プリセット釦
）と兼用されているので、操作部品の配置の省スペース化を図ることができる。
【００２３】
また、上記したように、プリセット釦は６個程度、形成されていることが多い。もし仮
に、６個のプリセット釦を前記操作手段と兼用すれば、６桁の数値入力が可能となる。こ
のように、前記操作手段を複数個形成されるプリセット釦と兼用することは、単に省スペ
ース化という点だけでなく、桁数の多い数値の入力が可能になるという点からも有用であ
る。
【００２４】
また、本発明に係る表示部付き電子機器（３）は、上記表示部付き電子機器（１）又は
（２）において、前記表示部は横一列にｎ桁の数字の表示が可能となっており、前記ｎ個
の操作手段が、横一列となるように形成されていることを特徴としている。
【００２５】
上記表示部付き電子機器（３）によれば、各桁の数値を入力するための操作手段が、前
記表示部に表示されるｎ桁の数字と同様に横一列となるように形成されているため、各操
作手段それぞれに割り当てられている数値の桁が、前記表示部のどの位置に表示されるの
か、また表示されているのかを視覚的に分かり易いものとすることができる。
【００２６】
また、本発明に係る表示部付き電子機器（４）は、上記表示部付き電子機器（３）にお
いて、前記ｎ個の操作手段が、前記表示部の下側、又は上側に形成され、さらに、各操作
手段が、それぞれに割り当てられた桁の表示位置の真下、又は真上に配置されていること
を特徴としている。
【００２７】
上記表示部付き電子機器（４）によれば、前記ｎ個の操作手段が、前記表示部の下側、
又は上側に形成され、さらに、各操作手段が、それぞれに割り当てられた桁の表示位置の
真下、又は真上に配置されているので、各操作手段それぞれに割り当てられている数値の
桁が、前記表示部のどの位置に表示されるのか、また表示されているのかを視覚的により
一層分かり易いものとすることができる。
【００２８】
また、本発明に係る表示部付き電子機器（５）は、上記表示部付き電子機器（１）〜（
４）のいずれかにおいて、ディスクモードである場合に、前記数値決定手段により決定さ
れた数値をディスクのトラックナンバー、又はディスクナンバーとして、トラックの変更
、又はディスクの変更を行うディスク変更手段を備えていることを特徴としている。
【００２９】
上記表示部付き電子機器（５）によれば、ディスクモードである場合に、直接数値を入
力することによって、トラックやディスクの変更を行うことができるので、現在再生され
ているトラックナンバーやディスクナンバーが分からなくても、所望のトラックやディス
クに容易に変更することができる。
【００３０】
また、本発明に係る表示部付き電子機器（６）は、上記表示部付き電子機器（１）〜（
５）のいずれかにおいて、放送受信モードである場合に、前記数値決定手段により決定さ
れた数値を受信周波数として、放送受信を行う放送受信手段を備えていることを特徴とし
ている。
【００３１】
上記表示部付き電子機器（６）によれば、放送受信モード（例えば、ＦＭラジオモード
、ＡＭラジオモード）である場合に、直接数値を入力することによって、受信周波数の変
更を行うことができるので、所望の受信周波数への切り換えを簡単な操作で行うことがで
きる。
【００３２】
また、本発明に係る表示部付き電子機器（７）は、上記表示部付き電子機器（１）〜（
６）のいずれかにおいて、四則演算用の演算用操作手段と、前記数値決定手段により決定
された数値、及び使用者による前記演算用操作の操作状態に基づいて、四則演算を行う第
１の四則演算手段と、該第１の四則演算手段により求められた数値、前記数値決定手段に
より決定された数値、及び使用者による前記演算用操作の操作状態に基づいて、四則演算
を行う第２の四則演算手段と、前記第１又は前記第２の四則演算手段により求められた数
値を、前記表示部に表示する演算結果表示手段とを備えていることを特徴としている。
【００３３】
上記表示部付き電子機器（７）によれば、前記操作手段を操作することによって入力さ
れた数値を使って四則演算ができるので、使用者は他に電卓を所持していなくても、複雑
な計算の答を得ることができる。従って、例えば、何らかの代金を複数人で均等割する場
合（いわゆる、割り勘をする場合）に非常に便利となる。
【００３４】
また、本発明に係る表示部付き電子機器（８）は、上記表示部付き電子機器（１）〜（
７）のいずれかにおいて、ｍ桁目の数値が決定されている場合、前記桁数値決定手段が、
数値決定されていない（ｍ−１）桁目以下の桁の数値を０に決定するものであることを特
徴としている。
【００３５】
上記表示部付き電子機器（８）によれば、ｍ桁目の数値が決定されている場合、数値決
定されていない（ｍ−１）桁目以下の桁の数値が０に決定される。例えば、操作釦がＢ１
〜Ｂ６と６個形成され、操作釦Ｂ１〜Ｂ６が操作釦Ｂ１から順に十万の桁、万の桁、千の
桁、百の桁、十の桁、一の桁と割り当てられている場合、操作釦Ｂ３が３回押下されて、
千の桁の数値が３に決定され、操作釦Ｂ４が２回押下されて、百の桁の数値が２に決定さ
れているが、十の桁の数値、及び一の桁の数値が決定されていない場合（３２□□）、十
の桁の数値、及び一の桁の数値はそれぞれ０に決定される（３２００）。
【００３６】
また、操作釦Ｂ２が２回押下されて、万の桁の数値が２に決定され、操作釦Ｂ４が３回
押下されて、百の桁の数値が３に決定されているが、千の桁の数値、十の桁の数値、及び
一の桁の数値が決定されていない場合（２□３□□）、千の桁の数値、十の桁の数値、及
び一の桁の数値はそれぞれ０に決定される（２０３００）。これにより、数値入力の操作
をより一層容易なものにすることができる。
【００３７】
また、本発明に係る表示部付き電子機器（９）は、上記表示部付き電子機器（１）〜（
８）のいずれかにおいて、前記数値決定手段により決定された数値、又は前記数値決定手
段により決定された数値に基づいて得られた数値に関する数値情報を記憶手段へ保存する
保存手段を備えていることを特徴としている。
【００３８】
上記表示部付き電子機器（９）によれば、前記数値決定手段により決定された数値、又
は前記数値決定手段により決定された数値に基づいて得られた数値（例えば、前記第１又
は前記第２の四則演算により求められた数値）に関する数値情報が前記記憶手段へ保存さ
れるので、残して置きたい数値（例えば、ガソリン代金、走行距離）に関する情報を残し
ておくことができる。
【００３９】
また、本発明に係る表示部付き電子機器（１０）は、上記表示部付き電子機器（９）に
おいて、前記保存手段が、保存時の日付、及び／又は時刻に関する情報と合わせて、前記
数値情報を前記記憶手段へ保存するものであることを特徴としている。
【００４０】
上記表示部付き電子機器（１０）によれば、保存時の日付、及び／又は時刻に関する情
報と合わせて、前記数値情報（すなわち、残して置きたい数値に関する情報）を残してお
くことができる。これにより、保存されている数値に関する情報がどのような情報である
のかを理解し易くすることができる。
【発明を実施するための最良の形態】
【００４１】
以下、本発明に係る表示部付き電子機器の実施の形態を図面に基づいて説明する。図１
は、実施の形態（１）に係る表示部付き電子機器本体の前面を示した図である。図中２１
は表示部付き電子機器を示しており、表示部付き電子機器２１はＣＤの再生機能、ＦＭ／
ＡＭラジオの受信機能、及び電卓機能を有している。
【００４２】
表示部付き電子機器２１の前面上には、セグメントの表示素子からなり、文字や数字な
どを表示する文字数字表示部２３と、選択されているモード（ＣＤ／ＦＭ／ＡＭ）を表す
ためのモード表示部２４とを含んで構成される表示部２２が形成されている。また、文字
数字表示部２３は縦方向に６つに分割され、分割された領域Ｅ１〜Ｅ６それぞれには１桁
の数字の表示が可能となっており、横一列に６桁の数字の表示が可能となっている。
【００４３】
例えば、ＣＤモードが選択されている場合には、図２（ａ）に示したように、文字数字
表示部２３にはディスクのトラックナンバー（ここでは、「１２」）と、再生時間（ここ
では、１分２３秒を表す「１’２３」）とが表示され、モード表示部２４には「ＣＤ」が
表示されるようになっている。
【００４４】
また、ＦＭラジオモードが選択されている場合には、図２（ｂ）に示したように、文字
数字表示部２３には受信周波数（ここでは「８０．２」ＭＨｚ）が表示され、モード表示
部２４には「ＦＭ」が表示され、ＡＭラジオモードが選択されている場合には、図２（ｃ
）に示したように、文字数字表示部２３には受信周波数（ここでは「１３１４」ｋＨｚ）
が表示され、モード表示部２４には「ＡＭ」が表示されるようになっている。
【００４５】
文字数字表示部２３の下側には、予め登録されたラジオ放送局の放送周波数を選択する
ためのプリセット釦Ｂ１〜Ｂ６が横一列に形成されている。また、プリセット釦Ｂ１〜Ｂ
６は、文字数字表示部２３の領域Ｅ１〜Ｅ６それぞれの真下に形成されている。プリセッ
ト釦Ｂ１、Ｂ４〜Ｂ６はＣＤモード時の操作釦と兼用されており、ＣＤモード時でのプリ
セット釦Ｂ１は「ＴＩＴＬＥ」釦となり、プリセット釦Ｂ４は「ＳＣＡＮ」釦となり、プ
リセット釦Ｂ５は「ＲＥＰＥＡＴ」釦となり、そしてプリセット釦Ｂ６は「ＲＡＮＤＯＭ
」釦となる。
【００４６】
また、プリセット釦Ｂ１〜Ｂ６は、後述する数値入力可能モードでは、領域Ｅ１〜Ｅ６
それぞれに表示させる数値を入力するための操作釦となり、例えば、プリセット釦Ｂ１は
領域Ｅ１に表示させる数値を入力するための操作釦となり、プリセット釦Ｂ２は領域Ｅ２
に表示させる数値を入力するための操作釦となる。また、表示部２２のモード表示部２４
の下側には、使用者が文字数字表示部２３に表示されている数値の確定を指示するための
確定指示釦２５が形成されている。また、後で詳しく説明するが、確定指示釦２５は電卓
機能が起動している場合、計算の合計算出することを指示するための「＝」釦となる。
【００４７】
表示部付き電子機器２１の前面上部には、ディスクを挿脱するための挿脱口２６が形成
され、また、挿脱口２６の左側には、表示部付き電子機器２１の電源を入れるための電源
釦２７が形成され、挿脱口２６の右側には、表示部付き電子機器２１内に挿入されたディ
スクを取り出すためのイジェクト釦２８が形成されている。また、表示部付き電子機器２
１はディスクチェンジャー機能を有しており、複数枚（ここでは、最大で１２枚）のディ
スクを自由に入れ換えることができるようになっている。
【００４８】
イジェクト釦２８の下側には、再生するディスクのトラックを変更するためのトラック
変更釦２９、３０が形成され、さらにトラック変更釦２９、３０の下側には、再生するデ
ィスクを変更するためのディスク変更釦３１、３２が形成されている。トラック変更釦２
９、３０はラジオモード時の操作釦と兼用されており、ラジオモード時では受信周波数を
調整するための操作釦となる。
【００４９】
また、後で詳しく説明するが、これらトラック変更釦２９、３０、ディスク変更釦３１
、３２は電卓機能が起動している場合、四則演算のいずれかを指示するための釦となり、
トラック変更釦２９は加算「＋」釦、トラック変更釦３０は減算「−」釦、ディスク変更
釦３１は乗算「×」釦、ディスク変更釦３２は除算「÷」釦となる。
【００５０】
また、電源釦２７の下側には、ボリューム調整釦３３が形成され、ボリューム調整釦３
３と表示部２２との間には、モードをＣＤモードにするためのＣＤモード釦３４と、モー
ドをラジオモードにするためのラジオモード釦３５と、モードをプリセット釦Ｂ１〜Ｂ６
の操作によって数値入力を可能とする数値入力可能モードにするための数値入力可能モー
ド釦３６とが形成されている。
【００５１】
例えば、ＣＤモードであるときに、ラジオモード釦３５が押下されるとＦＭラジオモー
ドになり、ＦＭラジオモードであるときに、ラジオモード釦３５が押下されるとＡＭラジ
オモードになり、ＡＭラジオモードであるときに、ラジオモード釦３５が押下されるとＦ
Ｍラジオモードになるようになっている。なお、数値入力可能モードはＣＤモードやラジ
オモードよりも下位のモードである。
【００５２】
また、後で詳しく説明するが、ＣＤモード釦３５は電卓機能が起動している場合、入力
されたり、計算により求められた数値の保存を指示するための操作釦となり、また、ラジ
オモード釦３６は電卓機能が起動している場合、保存された数値の呼び出しを指示するた
めの操作釦となる。
【００５３】
使用者はディスクのトラックを変更したい場合には、トラック変更釦２９、３０を操作
すれば良く、例えば、９番から１０番に変更したい場合には、トラック変更釦（アップ釦
）２９を１回押下し、逆に、９番から８番に変更したい場合には、トラック変更釦（ダウ
ン釦）３０を１回押下すれば良い。
【００５４】
また、使用者はディスクを別のディスクに変更したい場合には、ディスク変更釦３１、
３２を操作すれば良く、例えば、１０番目のディスクから１１番目のディスクに変更した
い場合には、ディスク変更釦（アップ釦）３１を１回押下し、逆に、１０番目のディスク
から９番目のディスクに変更したい場合には、ディスク変更釦（ダウン釦）３２を１回押
下すれば良い。
【００５５】
また、使用者はラジオの受信周波数を変更したい場合には、受信周波数調整の釦と兼用
されているトラック変更釦２９、３０を操作すれば良く、例えば、受信周波数を１１７９
ｋＨｚから１３１４ｋＨｚに変更したい場合には、トラック変更釦（アップ釦）２９を１
５回押下すれば、所望の周波数（１３１４ｋＨｚ）に到達し、逆に、１１７９ｋＨｚから
１００８ｋＨｚに変更したい場合には、トラック変更釦（ダウン釦）３０を１９回押下す
れば、所望の周波数（１００８ｋＨｚ）に到達するようになっている。
【００５６】
図３は、実施の形態（１）に係る表示部付き電子機器２１の要部を概略的に示したブロ
ック図である。マイコン４１には各種操作釦（例えば、図１に示したプリセット釦Ｂ１〜
Ｂ６など）から構成される操作部４２と、表示部２２（図１参照）と、データを記憶する
ためのメモリ４３と、ラジオチューナ４４と、最大で１２枚のディスクの入れ換えが可能
なＣＤオートチェンジャ４６と、ディスク４８を再生するためのＣＤドライブ４７と、セ
レクタ４９とが接続されている。
【００５７】
マイコン４１は操作部４２からの信号を受信することによって、各種制御を行うことが
できるようになっており、例えば、モードをラジオモードに切り換える指示があると、セ
レクタ４９を制御することによって、ラジオチューナ４４から出力される音声信号をアン
プ５０Ｒ、５０Ｌへ送信させるようにし、スピーカ５１Ｒ、５１Ｌからアンテナ４５で受
信されたラジオの放送を流すようになっている。他方、モードをＣＤモードに切り換える
指示があると、セレクタ４９を制御することによって、ＣＤドライブ４７から出力される
音声信号をアンプ５０Ｒ、５０Ｌへ送信させるようにし、スピーカ５１Ｒ、５１Ｌからデ
ィスク４８から再生される音楽等を流すようになっている。また、マイコン４１はＣＤド
ライブ４７から得られる情報によって、ディスク４８のトラック数を把握することができ
、再生させるトラックを自由に変更することができるようになっている。
【００５８】
次に、実施の形態（１）に係る表示部付き電子機器２１におけるマイコン４１の行う処
理動作［１］を図４に示したフローチャートに基づいて説明する。なお、処理動作［１］
は、数値入力可能モード釦３６が使用者によって押下されたとき（すなわち、数値入力可
能モード釦３６が押下されることによって出力される信号を受信したとき）に行われる動
作である。まず、初期設定としてカウンタＣ１〜Ｃ６を０に設定し（ステップＳ１）、次
に、数値入力可能モード釦３６が長押しされたか否か（例えば、２秒以上継続して押下さ
れたか否か）を判断する（ステップＳ２）。
【００５９】
数値入力可能モード釦３６が長押しされたと判断すれば、現在のモードがＣＤモード、
ラジオモードのいずれに設定されているかに関係なく、電卓処理（図９〜図１１参照）を
行う（ステップＳ３）。一方、数値入力可能モード釦３６が長押しされていないと判断す
れば、次に、現在のモードがＣＤモードであるか否かを判断する（ステップＳ４）。
【００６０】
現在のモードがＣＤモードであると判断すれば、次に、数値入力可能モード釦３６が２
回連続して押下されたか否か（例えば、１秒間に２回押下されたか否か）を判断する（ス
テップＳ５）。２回連続して押下されていないと判断すれば、次に、ディスク４８の再生
するトラックを変更するための処理（図５参照）を行う（ステップＳ６）。一方、２回連
続して押下されていると判断すれば、トラックの変更ではなく、再生するディスクそのも
のを変更するための処理（図６参照）を行う（ステップＳ７）。
【００６１】
ステップＳ４において、現在のモードがＣＤモードではないと判断すれば、次に、現在
のモードがＡＭラジオモードであるか否かを判断する（ステップＳ８）。現在のモードが
ＡＭラジオモードであると判断すれば、次に、ＡＭラジオの受信周波数を変更するための
処理（図７参照）を行う（ステップＳ９）。一方、現在のモードがＡＭラジオモードでは
ない（すなわち、ＦＭラジオモードである）と判断すれば、次に、ＦＭラジオの受信周波
数を変更するための処理（図８参照）を行う（ステップＳ１０）。
【００６２】
次に、実施の形態（１）に係る表示部付き電子機器２１におけるマイコン４１の行うト
ラック変更処理動作［１−ａ］（図４に示したステップＳ６）を図５に示したフローチャ
ートに基づいて説明する。まず、初期設定としてディスク４８のトラック数に基づいて、
カウンタＣｋ（ここでのｋは１〜６の整数）の最大値Ｃｋmaxを設定する（ステップＳ１
１）。
【００６３】
後で詳しく説明するが、カウンタＣｋそれぞれは、対応するプリセット釦Ｂｋが押下さ
れる毎に１ずつカウントアップされるようになっており、また、カウンタＣｋはｋ桁目の
数値を表すようになっている。例えば、カウンタＣ５は５桁目（例えば、十の桁）の数値
を表し、カウンタＣ６は６桁目（例えば、一の桁）の数値を表すようになっている。従っ
て、例えば、ディスク４８のトラック数が２４の場合、カウンタＣ１〜Ｃ４の最大値Ｃ１
max〜Ｃ４maxは０に設定され、カウンタＣ５の最大値Ｃ５maxは２に設定され、カウンタＣ６の最大値Ｃ６maxは９に設定される。
【００６４】
次に、タイマｔを０にしてスタートさせ（ステップＳ１２）、その後、プリセット釦Ｂ
ｋのいずれかが押下されたか否か（すなわち、プリセット釦Ｂｋが押下されることによっ
て出力される信号を受信したか否か）を判断する（ステップＳ１３）。プリセット釦Ｂｋ
のいずれかが押下されたと判断すれば、次に、押下されたプリセット釦Ｂｋに対応するカ
ウンタＣｋに１を加算し（ステップＳ１４）、１を加算したカウンタＣｋが最大値Ｃｋmaxよりも大きくなったか否かを判断する（ステップＳ１５）。一方、プリセット釦Ｂｋは押下されていないと判断すれば、ステップＳ１４〜Ｓ１８を飛ばして、ステップＳ１９へ進む。
【００６５】
カウンタＣｋが最大値Ｃｋmaxよりも大きくなった（例えば、カウンタＣ６が１０にな
った）と判断すれば、次に、該当するカウンタＣｋを０に戻し（ステップＳ１６）、その
後、カウンタＣ１〜Ｃ６に基づいて、それぞれに対応する数字文字表示部２３の領域Ｅ１
〜Ｅ６に数字を表示し（ステップＳ１７）、タイマｔを０に戻し（ステップＳ１８）、そ
の後、確定指示釦２５が押下されたか否かを判断する（ステップＳ１９）。なお、領域Ｅ
１〜Ｅ６への数字の表示方法としては、例えば、下記の１〜４の方法が挙げられる。
【００６６】
１．例えば、カウンタＣ１〜Ｃ４が０で、カウンタＣ５が１で、カウンタＣ６が３であ
る場合、領域Ｅ１〜Ｅ４には０を表示し、領域Ｅ５には１を表示し、領域Ｅ６には３を表
示する。
２．例えば、カウンタＣ１〜Ｃ４が０で、カウンタＣ５が１で、カウンタＣ６が３であ
る場合、領域Ｅ１〜Ｅ４には何も表示せず、領域Ｅ５には１を表示し、領域Ｅ６には３を
表示する。
３．例えば、カウンタＣ１〜Ｃ４、Ｃ６が０で、カウンタＣ５が１である場合、領域Ｅ
１〜Ｅ４、Ｅ６には何も表示せず、領域Ｅ５にだけ１を表示する。
４．例えば、カウンタＣ１〜Ｃ４、Ｃ６が０で、カウンタＣ５が１である場合、領域Ｅ
１〜Ｅ４には何も表示せず、領域Ｅ５には１を、領域Ｅ６には０を表示する。
【００６７】
一方、ステップＳ１５において、カウンタＣｋは最大値Ｃｋmaxよりも大きくなってい
ないと判断すれば、カウンタＣｋを０に戻す必要はないため、そのままステップＳ１７へ
進んで、カウンタＣ１〜Ｃ６に基づいて、それぞれに対応する数字文字表示部２３の領域
Ｅ１〜Ｅ６に数字を表示する。
【００６８】
ステップＳ１９において、確定指示釦２５が押下されたと判断すれば、次に、カウンタ
Ｃ１〜Ｃ６に基づいて、使用者が所望する数値を決定し（ステップＳ２０）、その後、Ｃ
Ｄドライブ４７を制御することによって、決定した数値に対応するナンバーのトラックを
再生させる（ステップＳ２１）。例えば、カウンタＣ１〜Ｃ４が０で、十の桁を示すカウ
ンタＣ５が１で、一の桁を示すカウンタＣ６が６である場合、使用者の所望する数値を１
６（＝１０×１＋１×６）に決定し、トラックナンバーが１６のトラックを再生させるよ
うにする。
【００６９】
一方、ステップＳ１９において、確定指示釦２５が押下されていないと判断すれば、次
に、タイマｔが所定の時間ｔ１以上であるか否かを判断する（ステップＳ２２）。タイマ
ｔが所定の時間ｔ１以上である（すなわち、所定の時間のあいだ釦操作が行われていない
）と判断すれば、数字文字表示部２３の表示をトラック変更処理動作［１−ａ］の前の状
態に戻して（ステップＳ２３）、トラック変更処理動作［１−ａ］を終了する。一方、タ
イマｔが所定の時間ｔ１以上でないと判断すれば、ステップＳ１３へ戻る。
【００７０】
次に、実施の形態（１）に係る表示部付き電子機器２１におけるマイコン４１の行うデ
ィスク変更処理動作［１−ｂ］（図４に示したステップＳ７）を図６に示したフローチャ
ートに基づいて説明する。まず、初期設定としてカウンタＣｋの最大値Ｃｋmaxを設定す
る（ステップＳ３１）。ＣＤオートチェンジャ４６は最大で１２枚のディスクの入れ換え
が可能となっているので、カウンタＣ１〜Ｃ４の最大値Ｃ１max〜Ｃ４maxを０に設定し、十の桁を示すカウンタＣ５の最大値Ｃ５maxを１に設定し、一の桁を示すカウンタＣ６の最大値Ｃ６maxを９に設定する。
【００７１】
次に、タイマｔを０にしてスタートさせ（ステップＳ３２）、その後、プリセット釦Ｂ
ｋのいずれかが押下されたか否かを判断する（ステップＳ３３）。プリセット釦Ｂｋのい
ずれかが押下されたと判断すれば、次に、押下されたプリセット釦Ｂｋに対応するカウン
タＣｋに１を加算し（ステップＳ３４）、１を加算したカウンタＣｋが最大値Ｃｋmaxよりも大きくなったか否かを判断する（ステップＳ３５）。一方、プリセット釦Ｂｋは押下
されていないと判断すれば、ステップＳ３４〜Ｓ３８を飛ばして、ステップＳ３９へ進む
。
【００７２】
カウンタＣｋが最大値Ｃｋmaxよりも大きくなった（例えば、カウンタＣ６が１０にな
った）と判断すれば、次に、該当するカウンタＣｋを０に戻し（ステップＳ３６）、その
後、カウンタＣ１〜Ｃ６に基づいて、それぞれに対応する数字文字表示部２３の領域Ｅ１
〜Ｅ６に数字を表示し（ステップＳ３７）、タイマｔを０に戻し（ステップＳ３８）、そ
の後、確定指示釦２５が押下されたか否かを判断する（ステップＳ３９）。なお、領域Ｅ
１〜Ｅ６への数字の表示方法としては、例えば、下記の１〜４の方法が挙げられる。
【００７３】
１．例えば、カウンタＣ１〜Ｃ４が０で、カウンタＣ５が１で、カウンタＣ６が３であ
る場合、領域Ｅ１〜Ｅ４には０を表示し、領域Ｅ５には１を表示し、領域Ｅ６には３を表
示する。
２．例えば、カウンタＣ１〜Ｃ４が０で、カウンタＣ５が１で、カウンタＣ６が３であ
る場合、領域Ｅ１〜Ｅ４には何も表示せず、領域Ｅ５には１を表示し、領域Ｅ６には３を
表示する。
３．例えば、カウンタＣ１〜Ｃ４、Ｃ６が０で、カウンタＣ５が１である場合、領域Ｅ
１〜Ｅ４、Ｅ６には何も表示せず、領域Ｅ５にだけ１を表示する。
４．例えば、カウンタＣ１〜Ｃ４、Ｃ６が０で、カウンタＣ５が１である場合、領域Ｅ
１〜Ｅ４には何も表示せず、領域Ｅ５には１を、領域Ｅ６には０を表示する。
【００７４】
一方、ステップＳ３５において、カウンタＣｋが最大値Ｃｋmaxよりも大きくなっていないと判断すれば、カウンタＣｋを０に戻す必要はないため、そのままステップＳ３７へ
進んで、カウンタＣ１〜Ｃ６に基づいて、それぞれに対応する数字文字表示部２３の領域
Ｅ１〜Ｅ６に数字を表示する。
【００７５】
ステップＳ３９において、確定指示釦２５が押下されたと判断すれば、次に、カウンタ
Ｃ５、Ｃ６に基づいて、使用者が所望する数値を決定し（ステップＳ４０）、その後、Ｃ
Ｄオートチェンジャ４６を制御することによって、決定した数値に対応するナンバーのデ
ィスクを再生させる（ステップＳ４１）。例えば、十の桁を示すカウンタＣ５が１で、一
の桁を示すカウンタＣ６が２である場合、使用者の所望する数値を１２（＝１０×１＋１
×２）に決定し、ディスクナンバーが１２のディスクを再生させるようにする。
【００７６】
一方、ステップＳ３９において、確定指示釦２５が押下されていないと判断すれば、次
に、タイマｔが所定の時間ｔ１以上であるか否かを判断する（ステップＳ４２）。タイマ
ｔが所定の時間ｔ１以上である（すなわち、所定の時間のあいだ釦操作が行われていない
）と判断すれば、数字文字表示部２３の表示をディスク変更処理動作［１−ｂ］の前の状
態に戻して（ステップＳ４３）、ディスク変更処理動作［１−ｂ］を終了する。一方、タ
イマｔが所定の時間ｔ１以上でないと判断すれば、ステップＳ３３へ戻る。
【００７７】
次に、実施の形態（１）に係る表示部付き電子機器２１におけるマイコン４１の行う受
信周波数変更（ＡＭラジオ）処理動作［１−ｃ］（図４に示したステップＳ９）を図７に
示したフローチャートに基づいて説明する。まず、初期設定としてカウンタＣｋの最大値
Ｃｋmaxを設定する（ステップＳ５１）。ＡＭラジオの場合、放送周波数は１６０２ｋＨｚ以下なので、カウンタＣ１、Ｃ２の最大値Ｃ１max、Ｃ２maxを０に設定し、千の桁を示すカウンタＣ３の最大値Ｃ３maxを１に設定し、百以下の桁を示すカウンタＣ４〜Ｃ６の最大値Ｃ４max〜Ｃ６maxを９に設定する。
【００７８】
次に、タイマｔを０にしてスタートさせ（ステップＳ５２）、その後、プリセット釦Ｂ
ｋのいずれかが押下されたか否かを判断する（ステップＳ５３）。プリセット釦Ｂｋのい
ずれかが押下されたと判断すれば、次に、押下されたプリセット釦Ｂｋに対応するカウン
タＣｋに１を加算し（ステップＳ５４）、１を加算したカウンタＣｋが最大値Ｃｋmaxよりも大きくなったか否かを判断する（ステップＳ５５）。一方、プリセット釦Ｂｋは押下
されていないと判断すれば、ステップＳ５４〜Ｓ５８を飛ばして、ステップＳ５９へ進む
。
【００７９】
カウンタＣｋが最大値Ｃｋmaxよりも大きくなった（例えば、カウンタＣ６が１０にな
った）と判断すれば、次に、該当するカウンタＣｋを０に戻し（ステップＳ５６）、その
後、カウンタＣ１〜Ｃ６に基づいて、それぞれに対応する数字文字表示部２３の領域Ｅ１
〜Ｅ６に数字を表示し（ステップＳ５７）、タイマｔを０に戻し（ステップＳ５８）、そ
の後、確定指示釦２５が押下されたか否かを判断する（ステップＳ５９）。なお、領域Ｅ
１〜Ｅ６への数字の表示方法としては、例えば、下記の１〜４の方法が挙げられる。
【００８０】
１．例えば、カウンタＣ１、Ｃ２が０で、カウンタＣ３が１で、カウンタＣ４が３で、
カウンタＣ５が１で、カウンタＣ６が４である場合、領域Ｅ１、Ｅ２には０を、領域Ｅ３
には１を、領域Ｅ４には３を、領域Ｅ５には１を、領域Ｅ６には４を表示する。
２．例えば、カウンタＣ１、Ｃ２が０で、カウンタＣ３が１で、カウンタＣ４が３で、
カウンタＣ５が１で、カウンタＣ６が４である場合、領域Ｅ１、Ｅ２には何も表示せず、
領域Ｅ３には１を、領域Ｅ４には３を、領域Ｅ５には１を、領域Ｅ６には４を表示する。
３．例えば、カウンタＣ１〜Ｃ３、Ｃ５、Ｃ６が０で、カウンタＣ４が７である場合、
領域Ｅ１〜Ｅ３、Ｅ５、Ｅ６には何も表示せず、領域Ｅ４にだけ７を表示する。
４．例えば、カウンタＣ１〜Ｃ３、Ｃ５、Ｃ６が０で、カウンタＣ４が７である場合、
領域Ｅ１〜Ｅ３には何も表示せず、領域Ｅ４に７を、領域Ｅ５、Ｅ６には０を表示する。
【００８１】
一方、ステップＳ５５において、カウンタＣｋが最大値Ｃｋmaxよりも大きくなっていないと判断すれば、カウンタＣｋを０に戻す必要はないため、そのままステップＳ５７へ
進んで、カウンタＣ１〜Ｃ６に基づいて、それぞれに対応する数字文字表示部２３の領域
Ｅ１〜Ｅ６に数字を表示する。
【００８２】
ステップＳ５９において、確定指示釦２５が押下されたと判断すれば、次に、カウンタ
Ｃ３〜Ｃ６に基づいて、使用者が所望する数値を決定し（ステップＳ６０）、その後、ラ
ジオチューナ４４を制御することによって、受信周波数を決定した数値に対応する周波数
に変更する（ステップＳ６１）。例えば、千の桁を示すカウンタＣ３が１で、百の桁を示
すカウンタＣ４が３で、十の桁を示すカウンタＣ５が１で、一の桁を示すカウンタＣ６が
４である場合、使用者の所望する数値を１３１４（＝１０００×１＋１００×３＋１０×
１＋１×４）に決定し、受信周波数を１３１４ｋＨｚに変更する。
【００８３】
一方、ステップＳ５９において、確定指示釦２５が押下されていないと判断すれば、次
に、タイマｔが所定の時間ｔ１以上であるか否かを判断する（ステップＳ６２）。タイマ
ｔが所定の時間ｔ１以上である（すなわち、所定の時間のあいだ釦操作が行われていない
）と判断すれば、数字文字表示部２３の表示を受信周波数変更（ＡＭラジオ）処理動作［
１−ｃ］の前の状態に戻して（ステップＳ６３）、受信周波数変更（ＡＭラジオ）処理動
作［１−ｃ］を終了する。一方、タイマｔが所定の時間ｔ１以上でないと判断すれば、ス
テップＳ５３へ戻る。
【００８４】
次に、実施の形態（１）に係る表示部付き電子機器２１におけるマイコン４１の行う受
信周波数変更（ＦＭラジオ）処理動作［１−ｄ］（図４に示したステップＳ１０）を図８
に示したフローチャートに基づいて説明する。まず、初期設定としてカウンタＣｋの最大
値Ｃｋmaxを設定する（ステップＳ７１）。
【００８５】
ＦＭラジオの場合、放送周波数は７６．１〜８９．９ＭＨｚの範囲内であるので、カウ
ンタＣ１〜Ｃ３の最大値Ｃ１max〜Ｃ３maxを０に設定し、十の桁を示すことになるカウンタＣ４の最大値Ｃ４maxを８に設定し、一の桁を示すことになるカウンタＣ５の最大値Ｃ５maxを９に設定し、そして小数点以下第１位の桁を示すことになるカウンタＣ６の最大値Ｃ６maxを９に設定する。
【００８６】
次に、残りの初期設定として、カウンタＣ４を７に設定する（ステップＳ７２）。これ
は、上記したように、ＦＭラジオの場合、放送周波数が７６．１ＭＨｚ以上だからである
。次に、タイマｔを０にしてスタートさせ（ステップＳ７３）、その後、プリセット釦Ｂ
ｋのいずれかが押下されたか否かを判断する（ステップＳ７４）。プリセット釦Ｂｋのい
ずれかが押下されたと判断すれば、次に、押下されたプリセット釦Ｂｋに対応するカウン
タＣｋに１を加算し（ステップＳ７５）、１を加算したカウンタＣｋが最大値Ｃｋmaxよりも大きくなったか否かを判断する（ステップＳ７６）。一方、プリセット釦Ｂｋは押下
されていないと判断すれば、ステップＳ７５〜Ｓ８１を飛ばして、ステップＳ８２へ進む
。
【００８７】
カウンタＣｋが最大値Ｃｋmaxよりも大きくなった（例えば、カウンタＣ６が１０にな
った）と判断すれば、次に、最大値Ｃｋmaxよりも大きくなったカウンタＣｋが十の桁を示すカウンタＣ４であるか否かを判断する（ステップＳ７７）。最大値Ｃｋmaxよりも大きくなったカウンタＣｋは、カウンタＣ４ではないと判断すれば、該当するカウンタＣｋ
を０に戻し（ステップＳ７８）、その後、カウンタＣ１〜Ｃ６に基づいて、それぞれに対
応する数字文字表示部２３の領域Ｅ１〜Ｅ６に数字を表示し（ステップＳ８０）、タイマ
ｔを０に戻し（ステップＳ８１）、その後、確定指示釦２５が押下されたか否かを判断す
る（ステップＳ８２）。領域Ｅ１〜Ｅ６への数字の表示方法としては、例えば、下記の１
〜４の方法が挙げられる。なお、領域Ｅ１〜Ｅ６に数字を表示する場合、領域Ｅ５と領域
Ｅ６との間に小数点を表示するのが望ましい。
【００８８】
１．例えば、カウンタＣ１〜Ｃ３が０で、カウンタＣ４が８で、カウンタＣ５が５で、
カウンタＣ６が１である場合、領域Ｅ１〜Ｅ３には０を、領域Ｅ４には８を、領域Ｅ５に
は５を、領域Ｅ６には１を表示する。
２．例えば、カウンタＣ１〜Ｃ３が０で、カウンタＣ４が８で、カウンタＣ５が５で、
カウンタＣ６が１である場合、領域Ｅ１〜Ｅ３には何も表示せず、領域Ｅ４には８を、領
域Ｅ５には５を、領域Ｅ６には１を表示する。
３．例えば、カウンタＣ１〜Ｃ３、Ｃ５、Ｃ６が０で、カウンタＣ４が８である場合、
領域Ｅ１〜Ｅ３、Ｅ５、Ｅ６には何も表示せず、領域Ｅ４にだけ８を表示する。
４．例えば、カウンタＣ１〜Ｃ３、Ｃ５、Ｃ６が０で、カウンタＣ４が８である場合、
領域Ｅ１〜Ｅ３には何も表示せず、領域Ｅ４に８を、領域Ｅ５、Ｅ６には０を表示する。
【００８９】
一方、最大値Ｃｋmaxよりも大きくなったカウンタＣｋがカウンタＣ４である（すなわ
ち、カウンタＣ４が９になった）と判断すれば、カウンタＣ４を７に戻し（ステップＳ７
９）、その後、ステップＳ８０へ進んで、カウンタＣ１〜Ｃ６に基づいて、それぞれに対
応する数字文字表示部２３の領域Ｅ１〜Ｅ６に数字を表示する。
【００９０】
一方、ステップＳ７６において、カウンタＣｋが最大値Ｃｋmaxよりも大きくなってい
ないと判断すれば、カウンタＣｋ（カウンタＣ４以外）を０に戻したり、カウンタＣ４を
７に戻す必要はないため、そのままステップＳ８０へ進んで、カウンタＣ１〜Ｃ６に基づ
いて、それぞれに対応する数字文字表示部２３の領域Ｅ１〜Ｅ６に数字を表示する。
【００９１】
ステップＳ８２において、確定指示釦２５が押下されたと判断すれば、次に、カウンタ
Ｃ４〜Ｃ６に基づいて、使用者が所望する数値を決定し（ステップＳ８３）、その後、ラ
ジオチューナ４４を制御することによって、受信周波数を決定した数値に対応する周波数
に変更する（ステップＳ８４）。例えば、十の桁を示すカウンタＣ４が８で、一の桁を示
すカウンタＣ５が５で、小数点以下第１位の桁を示すカウンタＣ６が１である場合、使用
者の所望する数値を８５．１（＝１０×８＋１×５＋０．１×１）に決定し、受信周波数
を８５．１ＭＨｚに変更する。
【００９２】
一方、ステップＳ８２において、確定指示釦２５が押下されていないと判断すれば、次
に、タイマｔが所定の時間ｔ１以上であるか否かを判断する（ステップＳ８５）。タイマ
ｔが所定の時間ｔ１以上である（すなわち、所定の時間のあいだ釦操作が行われていない
）と判断すれば、数字文字表示部２３の表示を受信周波数変更（ＦＭラジオ）処理動作［
１−ｄ］の前の状態に戻して（ステップＳ８６）、受信周波数変更（ＦＭラジオ）処理動
作［１−ｄ］を終了する。一方、タイマｔが所定の時間ｔ１以上でないと判断すれば、ス
テップＳ７４へ戻る。
【００９３】
次に、実施の形態（１）に係る表示部付き電子機器２１におけるマイコン４１の行う電
卓処理動作［１−ｅ］（図４に示したステップＳ３）を図９〜図１１に示したフローチャ
ートに基づいて説明する。まず、初期設定としてカウンタＣ１〜Ｃ６それぞれの最大値Ｃ
１max〜Ｃ６maxを９に設定し（ステップＳ９１）、計算処理によって得られる計算値Ａを０に設定し（ステップＳ９２）、四則演算符号フラグｆ１を［００］に設定する（ステップＳ９３）。［００］は加算符号「＋」を示し、［０１］は減算符号「−」を示し、［１０］は乗算符号「×」を示し、［１１］は除算符号「÷」を示している。
【００９４】
次に、タイマｔを０にしてスタートさせ（ステップＳ９４）、その後、プリセット釦Ｂ
ｋのいずれかが押下されたか否かを判断する（ステップＳ９５）。プリセット釦Ｂｋのい
ずれかが押下されたと判断すれば、次に、押下されたプリセット釦Ｂｋに対応するカウン
タＣｋに１を加算し（ステップＳ９６）、１を加算したカウンタＣｋが最大値Ｃｋmaxよりも大きくなったか否かを判断する（ステップＳ９７）。一方、プリセット釦Ｂｋは押下
されていないと判断すれば、ステップＳ９６〜Ｓ１００を飛ばして、ステップＳ１０１へ
進む。
【００９５】
カウンタＣｋが最大値Ｃｋmaxよりも大きくなった（例えば、カウンタＣ６が１０にな
った）と判断すれば、次に、該当するカウンタＣｋを０に戻し（ステップＳ９８）、その
後、カウンタＣ１〜Ｃ６に基づいて、それぞれに対応する数字文字表示部２３の領域Ｅ１
〜Ｅ６に数字を表示し（ステップＳ９９）、タイマｔを０に戻し（ステップＳ１００）、
次に、四則演算用の釦（トラック変更釦２９、３０、ディスク変更釦３１、３２）のいず
れかが押下されたか否かを判断する（ステップＳ１０１）。一方、ステップＳ９７におい
て、カウンタＣｋは最大値Ｃｋmaxよりも大きくなっていないと判断すれば、カウンタＣ
ｋを０に戻す必要はないため、そのままステップＳ９９へ進む。
【００９６】
ステップＳ１０１において、四則演算用の釦のいずれかが押下されたと判断すれば、ス
テップＳ１１１（図１０）へ進んで、押下された釦に基づいて、四則演算符号フラグｆ２
を設定する。例えば、加算符号「＋」を示すトラック変更釦２９が押下された場合、四則
演算符号フラグｆ２を［００］に設定し、減算符号「−」を示すトラック変更釦３０が押
下された場合、四則演算符号フラグｆ２を［０１］に設定する。
【００９７】
次に、カウンタＣ１〜Ｃ６に基づいて、使用者が所望する数値を決定する（ステップＳ
１１２）。例えば、十万の桁を示すカウンタＣ１が２で、万の桁を示すカウンタＣ２が５
で、千の桁を示すカウンタＣ３が１で、百の桁を示すカウンタＣ４が２で、それ以下の桁
を示すカウンタＣ５、Ｃ６が０である場合、使用者の所望する数値を２５１２００（＝１
０万×２＋１万×５＋１０００×１＋１００×２＋１０×０＋１×０）に決定する。
【００９８】
次に、ステップＳ１１２で決定した数値と、計算値Ａと、四則演算符号フラグｆ１とに
基づいて、計算処理を行う（ステップＳ１１３）。例えば、ステップＳ１１２で決定した
数値が２５１２００で、計算値Ａが４０２００で、四則演算符号フラグｆ１が［０１］（
減算）である場合に前記計算処理によって求められる値は、２１１０００となる。
【００９９】
その後、ステップＳ１１３での計算処理によって求められた値を計算値Ａとし（ステッ
プＳ１１４）、数字文字表示部２３に計算値Ａを表示し（ステップＳ１１５）、カウンタ
Ｃ１〜Ｃ６を０に戻し（ステップＳ１１６）、四則演算符号フラグｆ２を四則演算符号フ
ラグｆ１にし（ステップＳ１１７）、タイマｔを０に戻し（ステップＳ１１８）、その後
、ステップＳ９５（図９）へ戻る。すなわち、一つの計算が終了したことを意味する。
【０１００】
一方、ステップＳ１０１（図９）において、四則演算用の釦はいずれも押下されていな
いと判断すれば、次に、合計を求めるための「＝」の釦（確定指示釦２５）が押下された
か否かを判断する（ステップＳ１０２）。「＝」の釦が押下されたと判断すれば、ステッ
プＳ１２１（図１１）へ進んで、カウンタＣ１〜Ｃ６に基づいて、使用者が所望する数値
を決定する。
【０１０１】
次に、ステップＳ１２１で決定した数値と、計算値Ａと、四則演算符号フラグｆ１とに
基づいて、計算処理を行う（ステップＳ１２２）。例えば、ステップＳ１２１で決定した
数値が４２００で、計算値Ａが２１０００で、四則演算符号フラグｆ１が［１１］（除算
）である場合に前記計算処理によって求められる値は５となる。
【０１０２】
その後、ステップＳ１２２での計算処理によって求められた値を計算値Ａとし（ステッ
プＳ１２３）、数字文字表示部２３に計算値Ａを表示し（ステップＳ１２４）、カウンタ
Ｃ１〜Ｃ６を０に戻し（ステップＳ１２５）、四則演算符号フラグｆ１を［００］に戻し
（ステップＳ１２６）、タイマｔを０に戻し（ステップＳ１２７）、その後、計算値Ａを
保存するためのメモリ釦（ＣＤモード釦３４）が押下されたか否かを判断する（ステップ
Ｓ１２８）。
【０１０３】
メモリ釦が押下されたと判断すれば、現在の日付及び時刻に関する情報を呼び出して（
ステップＳ１２９）、現在の日付及び時刻に関する情報と合わせて、計算値Ａのデータを
メモリ４３へ記憶させる（ステップＳ１３０）。マイコン４１には時計機能が内蔵されて
おり、マイコン４１はその内部から現在の日付及び時刻に関する情報を呼び出すことがで
きるようになっている。
【０１０４】
一方、ステップＳ１２８において、メモリ釦が押下されていないと判断すれば、次に、
プリセット釦Ｂｋのいずれかが押下されたか否かを判断する（ステップＳ１３１）。プリ
セット釦Ｂｋのいずれかが押下された（すなわち、使用者が新しい計算を要求している）
と判断すれば、次に、計算値Ａを０に戻し（ステップＳ１３２）、その後、ステップＳ９
６（図９）へ戻る。
【０１０５】
一方、ステップＳ１３１において、プリセット釦Ｂｋのいずれも押下されていないと判
断すれば、次に、タイマｔが所定の時間ｔ３以上であるか否かを判断する（ステップＳ１
３３）。タイマｔが所定の時間ｔ３以上である（すなわち、所定の時間のあいだ釦操作が
行われていない）と判断すれば、数字文字表示部２３の表示を電卓処理動作［１−ｅ］の
前の状態に戻して（ステップＳ１３４）、電卓処理動作［１−ｅ］を終了する。一方、タ
イマｔが所定の時間ｔ３以上でないと判断すれば、ステップＳ１２８へ戻る。
【０１０６】
また、ステップＳ１０２（図９）において、「＝」の釦が押下されていないと判断すれ
ば、次に、タイマｔが所定の時間ｔ２以上であるか否かを判断する（ステップＳ１０３）
。タイマｔが所定の時間ｔ２以上である（すなわち、所定の時間のあいだ釦操作が行われ
ていない）と判断すれば、数字文字表示部２３の表示を電卓処理動作［１−ｅ］の前の状
態に戻して（ステップＳ１０４）、電卓処理動作［１−ｅ］を終了する。一方、タイマｔ
が所定の時間ｔ２以上でないと判断すれば、ステップＳ９５へ戻る。なお、マイコン４１
は電卓機能が起動しているときに、ラジオモード釦３６が押下されると、割り込み処理動
作を開始し、メモリ４３に保存されている情報を読み出して、数字文字表示部２３へ表示
するようになっている。
【０１０７】
上記実施の形態（１）に係る表示部付き電子機器によれば、使用者によるプリセット釦
Ｂ１〜Ｂ６の操作状態（ここでは、押下回数）に基づいて、プリセット釦Ｂ１〜Ｂ６それ
ぞれに割り当てられた１〜６桁目の桁の数値が決定される。例えば、プリセット釦Ｂ１〜
Ｂ６がプリセット釦Ｂ１から順に十万の桁、万の桁、千の桁、百の桁、十の桁、一の桁と
割り当てられている場合、プリセット釦Ｂ３が３回押下されると、千の桁の数値が３に決
定され、プリセット釦Ｂ４が２回押下されると、百の桁の数値が２に決定され、プリセッ
ト釦Ｂ５が４回押下されると、十の桁が４に決定され、プリセット釦Ｂ６が５回押下され
ると、一の桁が５に決定される。
【０１０８】
さらに、決定された各桁の数値（例えば、千の桁は３、百の桁は２、十の桁は４、一の
桁は５）に基づいて、使用者所望の数値（例えば、３２４５）が決定される。しかも、決
定された各桁の数値（例えば、千の桁は３、百の桁は２、十の桁は４、一の桁は５）は、
桁位置を合わせて表示部２２の文字数字表示部２３に表示される。
【０１０９】
従って、テンキーを形成しなくても、数字を入力することが可能となるので、操作釦な
どの形成スペースが限られている電子機器であったとしても、使用者が数字を直接入力す
ることができる。例えば、ディスクモードで、ディスクのトラックを１番から１２番に変
更する場合、十の桁が割り当てられているプリセット釦Ｂ５を１回押下し、一の桁が割り
当てられているプリセット釦Ｂ６を２回押下するだけで、１２の数字を入力することがで
きる。また、ＡＭラジオモードで、受信周波数を１３１４ｋＨｚに変更する場合、千の桁
が割り当てられているプリセット釦Ｂ３を１回押下し、百の桁が割り当てられているプリ
セット釦Ｂ４を３回押下し、十の桁が割り当てられているプリセット釦Ｂ５を１回押下し
、一の桁が割り当てられているプリセット釦Ｂ６を４回押下することによって、１３１４
の数字を入力することができる。
【０１１０】
また、上記実施の形態（１）に係る表示部付き電子機器によれば、プリセット釦Ｂ１〜
Ｂ６を操作することによって入力された数値を使って四則演算ができるので、使用者は他
に電卓を所持していなくても、複雑な計算の答を得ることができる。従って、例えば、何
らかの代金を複数人で均等割する場合（いわゆる、割り勘をする場合）に非常に便利とな
る。
【０１１１】
さらに、計算によって得られた値や、計算させなくてもプリセット釦Ｂ１〜Ｂ６を操作
することによって入力された数値に関するデータを、日付及び時刻に関する情報と一緒に
メモリ４３に保存させ、保存しておいたデータを使用者が自由に参照することができるよ
うになっている。これにより、保存しておきたい数値（例えば、ガソリン代金、走行距離
）に関する情報を残しておき、後日参照することができる。
【０１１２】
また、上記実施の形態（１）に係る表示部付き電子機器では、プリセット釦Ｂ１〜Ｂ６
が、文字数字表示部２３の領域Ｅ１〜Ｅ６それぞれの真下に形成される場合について説明
しているが、別の実施の形態に係る表示部付き電子機器では、プリセット釦Ｂ１〜Ｂ６が
、文字数字表示部２３の領域Ｅ１〜Ｅ６それぞれの真上に形成されるようにしても良い。
また、数値を入力するための操作手段（ここでは、プリセット釦）については、６個に限
定されるものではなく、２個以上形成されていれば良い。但し、ラジオの受信周波数の変
更を行う場合には、４個以上形成されていることが望ましい。
【０１１３】
また、上記実施の形態（１）に係る表示部付き電子機器では、プリセット釦Ｂ１〜Ｂ６
の押下回数によって、カウンタＣ１〜Ｃ６をカウントアップさせているが、別の実施の形
態に係る表示部付き電子機器では、プリセット釦Ｂ１〜Ｂ６の押下時間に応じて、カウン
タＣ１〜Ｃ６をカウントアップさせるようにしたり、両者を組み合わせるようにしても良
い。
【図面の簡単な説明】
【０１１４】
【図１】本発明の実施の形態（１）に係る表示部付き電子機器本体の前面を示した図である。
【図２】（ａ）〜（ｃ）は、実施の形態（１）に係る表示部付き電子機器における表示部に表示される表示の一例を示した図である。
【図３】実施の形態（１）に係る表示部付き電子機器の要部を概略的に示したブロック図である。
【図４】実施の形態（１）に係る表示部付き電子機器におけるマイコンの行う処理動作を示したフローチャートである。
【図５】実施の形態（１）に係る表示部付き電子機器におけるマイコンの行う処理動作（トラック変更処理動作）を示したフローチャートである。
【図６】実施の形態（１）に係る表示部付き電子機器におけるマイコンの行う処理動作（ディスク変更処理動作）を示したフローチャートである。
【図７】実施の形態（１）に係る表示部付き電子機器におけるマイコンの行う処理動作（受信周波数変更処理動作）を示したフローチャートである。
【図８】実施の形態（１）に係る表示部付き電子機器におけるマイコンの行う処理動作（受信周波数変更処理動作）を示したフローチャートである。
【図９】実施の形態（１）に係る表示部付き電子機器におけるマイコンの行う処理動作（電卓処理動作）を示したフローチャートである。
【図１０】実施の形態（１）に係る表示部付き電子機器におけるマイコンの行う処理動作（電卓処理動作）を示したフローチャートである。
【図１１】実施の形態（１）に係る表示部付き電子機器におけるマイコンの行う処理動作（電卓処理動作）を示したフローチャートである。
【図１２】従来の車載用オーディオ機器本体の前面を示した図である。
【符号の説明】
【０１１５】
２１  表示部付き電子機器
２２  表示部
２３  文字数字表示部
２５  確定指示釦
３６  数値入力可能モード釦
４１  マイコン
４２  操作部
４３  メモリ
Ｂ１〜Ｂ６  プリセット釦
Ｅ１〜Ｅ６  領域
【図１】
2005149546.tif 000003
【図２】
2005149546.tif 000004
【図３】
2005149546.tif 000005
【図４】
2005149546.tif 000006
【図５】
2005149546.tif 000007
【図６】
2005149546.tif 000008
【図７】
2005149546.tif 000009
【図８】
2005149546.tif 000010
【図９】
2005149546.tif 000011
【図１０】
2005149546.tif 000012
【図１１】
2005149546.tif 000013
【図１２】
2005149546.tif 000014